(57)【要約】      （修正有）【課題】家具等の転倒防止装置の強度と外観上の見栄えを両立させ、支柱を円柱や多角柱でのデザインに対応した家具等の転倒防止装置を提供する。【解決手段】支柱部２と上端部に配置する上部当接部材３を連結及び高さ調節ボルト９をそれぞれの貫通孔２ａと３ｂを貫通させ支柱部２の底部有底穴内でナット９ａで締め付け一体化した上、支柱受部材４を経て、座付きナット１０を備えた高さ調節部材５の回転に合わせ高さ調節ボルト９が進退する。支柱受部材４の有底穴４ａは支柱が円柱や多角柱に対応し、進退しても調節ボルト９は外部から目視不可能であり、回転部の高さ調節部材５とは分離しているため支柱が多角柱でも回転を妨げず進退可能。支柱が円柱の場合、支柱受部材４は高さ調節部材５を以って対応可能であり、省略可能。【選択図】図２
0003170173.tif 000002
【実用新案登録請求の範囲】
【請求項１】
支柱部と該支柱部の長手方向両端部に当接部材を備え、支柱部及び上部当接部材の中央に貫通孔を設け、長ネジを貫通させナット止めし、一体化した上、長ネジ最下部を下端部の高さ調節部材に配した座付ナットに進退させることにより全長を伸縮させる家具等の転倒防止装置。
【請求項２】
下端部は支柱部が円柱のみならず多角柱でも長ネジを外部から目視不能とする支柱受部材、座付ナットを配し、回転させることにより高さを調節可能とする高さ調節部材及び高さ調節部材の回転を円滑にさせ、装置全体を保持する下部当接部材から成る請求項１に記載の家具等の転倒防止装置。
【請求項３】
支柱部は中心部に金属の長ネジが貫通しており、長ネジが補強材となり、直接の荷重は長ネジに加わる為、支柱部の材質は、金属、木材、陶器や人工大理石でも可能な請求項１及び請求項２に記載の家具等の転倒防止装置。
【考案の詳細な説明】
【技術分野】
【０００１】
本考案は地震等の揺れから、家具等の転倒を防止するための家具等の転倒防止装置に関するものである。
【背景技術】
【０００２】
従来、家具転倒防止装置として、家具と天井の間に設置し、伸縮自在に高さ調整して、突っ張らせ転倒を防ぐ物が提案されている。又、伸縮時のネジ等を隠し見栄えを良くする方法としては、実用新案登録第３１１１１４０号が広報に記載されている。
【先行技術文献】
【特許文献】
【０００３】
【特許文献１】実用新案登録第３１１１１４０号広報
【考案の概要】
【考案が解決しようとする課題】
【０００４】
装置の外観をデザイン性の有るものとする為には、支柱を円柱のみに対応するのでは無く多角柱にも対応出来なければ、趣向に答えられない。実用新案登録第３１１１１４０号広報は支柱を回転して伸縮させるため、円柱しか実施出来ない。又円柱の両端に調節用の座付きナットを設置して有るため、強度に問題が生じ易い為補完する手段を必要とする。
【課題を解決するための手段】
【０００５】
本考案は家具等の転倒防止装置であり、地震等の揺れに対し、十分耐え得る強度が求められる。荷重は装置中央を貫通する金属ボルトに加わり支柱その物は極端には飾りに過ぎない。しかし、本考案の目的は強度と同等の意味合いを持つ装飾性に富んだ家具等の転倒防止装置であり、支柱には金属、木材、陶器や人工大理石等の素材も使用可能とする。又、支柱受部材と座付きナット付高さ調節部材を分離することにより支柱の外観を円柱や多角柱でも対応可能とした。
【考案の効果】
【０００６】
従来の家具等の転倒防止装置にあっては、機能性のみが考慮され、独創的装飾性に富んだ製品は皆無であった。高級家具や商品展示の為の見せる商品棚等には不釣合いであることが多々有った。そんな状況をいくばかりかでも解消出来ればと本家具等の転倒防止装置を考案した。
【図面の簡単な説明】
【０００７】
【図１】本考案の家具等の転倒防止装置を示した斜視図である。
【図２】本装置の組み立て前部材分解斜視図である。
【図３】本装置の縮小時を示した正面断面図である。
【図４】本装置の延伸時を示した正面断面図である。
【図５】本装置の上部当接部材の正面断面図と上部端面図である。
【図６】本装置の支柱受部材の正面断面図と上部端面図である。
【図７】本装置の高さ調節部材の正面断面図と上部端面図及び座付きナットの斜視図である。
【図８】本装置の下部当接部材の正面断面図と上部端面図である。
【図９】本装置の支柱の正面断面図である。
【図１０】本考案の家具等の転倒防止装置の実施例を示した正面図である。
【図１１】本考案の家具等の転倒防止装置の円形支柱を示した斜視図である。
【図１２】本装置の円形支柱での組み立て前部材分解斜視図である。
【図１３】本装置の円形支柱の縮小時を示した正面断面図である。
【図１４】本装置の円形支柱の延伸時を示した正面断面図である。
【考案を実施するための形態】
【０００８】
図１、図２、図３で示す通り、本考案の家具等の転倒防止装置は、上部当接部材と支柱を貫通孔を通して長ネジで一体化させ、支柱受部材を経て、高さ調節部材に配した座付きナットに挿入、高さ調節部材を回転させることにより、長ネジが伸縮し一体化した上部当接部材と支柱が同様に伸縮する。その時、支柱下部は支柱受部材中を通過するが外部から目視不可能である。これにより、長ネジの伸縮により突っ張り効果が得られ、同時にネジ等の機構その物が外部から目視出来ず、外観的にも装飾性に富んだ家具等の転倒防止装置が製作可能である。
【実施例】
【０００９】
図１０に示す家具等の転倒防止実施例。
【産業上の利用可能性】
【００１０】
図１０では家具の転倒防止装置を実施例として示したが、家具に限らず幾多の装置の転倒防止に鉄芯突っ張り構造自体の応用範囲は広いと考える。例として、オフィスや工場、店舗等の什器や棚、機器の転倒防止にも対応可能である。
【符号の説明】
【００１１】
1     本考案の家具等の転倒防止装置
2      支柱
2a      貫通孔
2b      有底穴
3      上部当接部材
3a      有底穴
3b      貫通孔
4     支柱受部材
4a      有底穴
4b      有底穴
4c      貫通孔
4d      接合軸
5     高さ調節部材  
5a      回転軸                                                              
5b      有底穴
5c      回転棒孔
6      下部当接部材
6a      有底穴      
7      滑り止めマット
8      滑り止めマット
9     上部当接部材と支柱の連結及び高さ調節ボルト
9a      ナット                                                                
10    座付きナット
10a    ビス孔
11    ビス
20    家具
30    天井
【図１】
0003170173.tif 000003
【図２】
0003170173.tif 000004
【図３】
0003170173.tif 000005
【図４】
0003170173.tif 000006
【図５】
0003170173.tif 000007
【図６】
0003170173.tif 000008
【図７】
0003170173.tif 000009
【図８】
0003170173.tif 000010
【図９】
0003170173.tif 000011
【図１０】
0003170173.tif 000012
【図１１】
0003170173.tif 000013
【図１２】
0003170173.tif 000014
【図１３】
0003170173.tif 000015
【図１４】
0003170173.tif 000016
【手続補正書】
【提出日】平成23年6月7日(2011.6.7)
【手続補正１】
【補正対象書類名】実用新案登録請求の範囲
【補正対象項目名】全文
【補正方法】変更
【補正の内容】
【実用新案登録請求の範囲】
【請求項１】
支柱部と該支柱部の長手方向両端部に当接部材を備え、支柱部及び上部当接部材の中央に貫通孔を設け、長ネジを貫通させナット止めし、一体化した上、長ネジ最下部を下端部の高さ調節部材に配した座付ナットに進退させることにより全長を伸縮させる家具等の転倒防止装置。
【請求項２】
下端部は支柱部が円柱のみならず多角柱でも長ネジを外部から目視不能とする多角形の遮蔽壁を有する支柱受部材、座付ナットを配し下部に凸状の円形突起を有し回転させることにより高さを調節可能とする高さ調節部材、凹状円形窪みを有し、高さ調節部材の回転を円滑にさせ、装置全体を保持する板状の下部当接部材から成る請求項１に記載の家具等の転倒防止装置。